(57)【要約】【課題】ガスの流れを表示することができる流量調整器を提供することにある。【解決手段】流量調整器１は、本体１０と、本体の所定位置に配置されガス供給源と接続される接続部１１と、本体の内部に配置されガス供給源から供給されたガスの圧力を調整する圧力調整部２０と、本体の内部に配置され圧力が調整されたガスの流量を調整する流量調整部３０と、圧力調整部２０と流量調整部３０を接続する第１ガス流路１３と、本体の所定位置に配置され流量が調整されたガスの供給先と接続される供給部１２と、本体の内部に配置され流量調整部３０と供給部１２を接続する第２ガス流路１４と、を有し、第１ガス流路１３又は第２ガス流路１４に該第１ガス流路１３又は第２ガス流路１４に於けるガスの流通の有無を表示する表示部４０が配置されているものである。【選択図】        図２
2018200247.tif 000002
【特許請求の範囲】
【請求項１】
本体と、
前記本体の所定位置に配置されガス供給源と接続される接続部と、
前記本体の内部に配置されガス供給源から供給されたガスの圧力を調整する圧力調整部と、
前記本体の内部に配置され圧力が調整されたガスの流量を調整する流量調整部と、
前記圧力調整部と前記流量調整部を接続する第１ガス流路と、
前記本体の所定位置に配置され流量が調整されたガスの供給先と接続される供給部と、
前記本体の内部に配置され前記流量調整部と前記供給部を接続する第２ガス流路と、
を有し、
前記第１ガス流路又は第２ガス流路に該第１ガス流路又は第２ガス流路に於けるガスの流通の有無を表示する表示部が配置されていることを特徴とする流量調整器。
【請求項２】
前記表示部はガスの流通に伴って上昇する浮標を有しており、前記本体に於ける該表示部と対向する位置には視認用窓が形成されていることを特徴とする請求項１に記載した流量調整器。
【請求項３】
前記接続部を介してガス供給源に接続されたとき、前記表示部は略鉛直方向に配置されることを特徴とする請求項２に記載した流量調整器。
【発明の詳細な説明】
【技術分野】
【０００１】
本発明は、供給源から供給された高い圧力を持ったガスを減圧すると共に流量を調整して供給する流量調整器に関し、特に、ガスの流れを視認し得るようにした流量調整器に関するものである。
【背景技術】
【０００２】
医療機関では患者に対して酸素ガスに代表される医療用ガスを供給することがある。医療用ガスの供給は、病院の院内配管やガスボンベを供給源として行われるのが一般的であり、何れの供給源も患者に対して供給すべき圧力よりも充分に高い圧力を保持している。このため、減圧機能と流量調整機能を有する流量調整器を用い、供給源から供給された医療用ガスの圧力を患者に対する供給圧力まで減圧すると共に流量を調整することが行われる。
【０００３】
患者に対して医療用ガスを供給する場合、確実な供給が行われていることが重要である。このため、常に医療用ガスが供給されているか否かを確認している必要がある。現状では、流量調整器に流量表示機能を有するフロート式の流量表示計を一体的に接続し、この流量表示計によって医療用ガスの供給の有無を確認している。
【０００４】
例えば、医療機関の壁面に設置したアウトレットを介して患者に医療用酸素を供給する場合について説明する。院内配管の場合、医療用酸素の圧力は約０．４ＭＰａに設定されており、病室などの壁面に設置されたアウトレットに接続されて供給されている。アウトレットの医療用酸素の接続口には流量調整器が接続され、該流量調整器の供給口に流量表示計が接続されている。更に、流量表示計の供給口には患者に装着する酸素マスクやカニューレが接続されている。
【０００５】
アウトレットを介して院内配管から供給された医療用酸素は、流量調整器によって所定の圧力に減圧されると共に、患者に対して設定された流量に調整される。そして、圧力及び流量が調整された医療用酸素が流量表示計の供給口に接続された酸素マスク或いはカニューレを経由して患者に供給される。
【０００６】
流量が調整された医療用酸素が供給された流量表示計では、内部に配置されたフロートを浮上させることで、医療用酸素が患者に供給されていることを表示している。従って、看護師などがフロートが浮上しているか否かを視認することによって、患者に対する医療用酸素の供給状態を確認することができる。
【０００７】
一方、ガスボンベの残量が少なくなったことを検出するために、特許文献１に開示された残量表示装置がある。この残量表示装置は、透視窓を有するケーシングの基部を圧力調整器本体の側面に取り付けると共にガス流路に連通させ、ケーシング内に漏出したガス圧によって可動し、透視窓内に一定の色面（例えば緑、赤）を現す可動筒体を設けて構成されている。そして、ガスボンベの残量が充分あるとき、ケーシングに流入したガスによって可動筒体が移動して透視窓に緑が現れ、ガスボンベの残量が少なくなってガス圧が減少すると、可動筒体が移動して赤が現れる。
【先行技術文献】
【特許文献】
【０００８】
【特許文献１】実開昭５８−１７７６９８号公報（実願５７−７５５９２号）
【発明の概要】
【発明が解決しようとする課題】
【０００９】
前述したように、患者に対する医療用ガスの供給を確認する際に、流量調整器と流量表示計を一体的に接続して利用するのでは、装置全体の構成が大掛かりになるという問題がある。
【００１０】
また、特許文献１に記載された残量表示装置では、ケーシングは減圧部よりも供給源側に配置されており、移動筒体は調整された後のガス圧によって移動するものではなく、ガスボンベの圧力によって移動する。このため、ガスボンベの残量（残圧）に応じた表示をすることができるものの、ガスが供給されていることを確認することはできないという問題がある。
【００１１】
本発明の目的は、ガスの流れを表示することができる流量調整器を提供することにある。
【課題を解決するための手段】
【００１２】
上記課題を解決するための本発明に係る流量調整器は、本体と、前記本体の所定位置に配置されガス供給源と接続される接続部と、前記本体の内部に配置されガス供給源から供給されたガスの圧力を調整する圧力調整部と、前記本体の内部に配置され圧力が調整されたガスの流量を調整する流量調整部と、前記圧力調整部と前記流量調整部を接続する第１ガス流路と、前記本体の所定位置に配置され流量が調整されたガスの供給先と接続される供給部と、前記本体の内部に配置され前記流量調整部と前記供給部を接続する第２ガス流路と、を有し、前記第１ガス流路又は第２ガス流路に該第１ガス流路又は第２ガス流路に於けるガスの流通の有無を表示する表示部が配置されているものである。
【００１３】
上記流量調整器に於いて、前記表示部はガスの流通に伴って上昇する浮標を有しており、前記本体に於ける該表示部と対向する位置には視認用窓が形成されていることが好ましく、前記接続部を介してガス供給源に接続されたとき、前記表示部は略鉛直方向に配置されることが更に好ましい。
【発明の効果】
【００１４】
本発明に係る流量調整器では、本体に形成された第１ガス流路、又は第２ガス流路にガスの流通の有無を表示する表示部を配置したので、この表示部によってガスの流通の有無を確実に確認することができる。即ち、第１ガス流路は、圧力調整部と流量調整部を接続して形成されているので、ガス供給源のガス圧力の影響を受けることなく、ガスの流通の有無を表示することができる。同様に、第２ガス流路も流量調整部と供給部を接続して形成されているので、ガス供給源のガス圧力の影響を受けることなく、ガスの流通の有無を表示することができる。
【００１５】
また、表示部がガスの流通に伴って上昇する浮標を有しており、本体に於ける該表示部と対向する位置には視認用窓が形成されているので、視認用窓を通して浮標の位置を視認することができる。従って、浮標が沈下しているときはガスの流通がないこと、浮標が上昇しているときはガスが流通していること、を視認してガスの流通の有無を確実に確認することができる。
【００１６】
特に、接続部を介してガス供給源に接続されたとき、表示部が略鉛直方向に配置されることで、ガスの流通の有無に伴う浮標の沈下、上昇を確実に行わせることができる。
【図面の簡単な説明】
【００１７】
【図１】本実施例に係る流量調整器の外観を説明する図である。
【図２】本実施例に係る流量調整器の構成を説明する断面図である。
【図３】図２のＡ−Ａ断面図である。
【発明を実施するための形態】
【００１８】
本実施例に係る流量調整器の構成について図１〜図３により説明する。図に示す流量調整器１は、医療用酸素（以下単に「酸素」という）の流量調整器として構成されている。この流量調整器は医療機関に於ける病室や診察室の壁面に設置され、院内配管の端末を構成するアウトレットに配置された酸素の供給口に接続し得るように構成されている。そして、供給源から供給された酸素を患者に対応して設定された圧力に調整すると共に流量を調整して供給し、更に、酸素の流通状態を視認し得るように構成されている。
【００１９】
流量調整器１を構成する本体１０の側面には、酸素の供給源となるアウトレットに接続されるホース差し状の接続部１１が配置されており、この接続部１１に連続して圧力調整部２０が配置されている。また、本体１０の上部には流量調整部３０が配置されており、本体１０の下部には酸素の供給先に供給するニップル状の供給部１２が配置されている。
【００２０】
本体１０の内部であって、圧力調整部２０と流量調整部３０を接続して第１ガス流路１３が形成され、流量調整部３０と供給部１２を接続して第２ガス流路１４が形成されている。そして、第１ガス流路１３にガスの流通の有無を表示する表示部４０が配置されており、該表示部４０と対向する位置には視認用の窓１５が形成されている。
【００２１】
本体１０の側面には圧力調整部２０を構成する筒部材２１が突出して配置されており、該筒部材２１の突出端部に接続部１１が構成されている。そして、筒部材２１の接続部１１側にノズル２１ａが形成されている。また、筒部材２１の内部であってノズル２１ａを囲んで筒状の突起部２１ｂが形成されており、該突起部２１ｂの内部が減圧室２２として構成されている。また、筒部材２１の内部であって、突起部２１ｂよりも本体１０側の室は摺動部材２３が摺動する摺動室２４として構成されている。
【００２２】
筒部材２１の接続部１１側の端面に係合ピン１１ａが設けられている。係合ピン１１ａはアウトレットに形成された係合穴と係合して嵌合するものであり、アウトレットに配置された医療用ガスの接続部ごとに異なる位置と異なる数によって構成されている。即ち、本実施例に係る流量調整器１が酸素用であるため、アウトレットに配置された酸素の接続部に形成された係合穴の位置と数とに一致し、他のガスの接続部に形成された係合穴とは一致することがない。従って、酸素用の流量調整器を異なるガスの供給口に接続する虞がない。
【００２３】
筒部材２１は、係合ピン１１ａを設けた端面の反対側の端面に設けた位置決めピン１６を介して本体１０に接続されている。従って、流量調整器１をアウトレットに取り付けたときの本体１０の姿勢は、係合ピン１１ａの位置との関係で一義的に設定される。即ち、流量調整器１をアウトレットに取り付けたとき、流量調整部３０を構成するハンドル３１が上方に供給部１２が下方に位置して本体１０は略鉛直状に配置され、接続部１１は略水平状に配置される。
【００２４】
摺動部材２３は一方の端部側が筒部材２１に形成された突起２１ｂに嵌合してノズル２１ａと対向する減圧部２３ａとして形成され、該減圧部２３ａと連続した部位が摺動室２４に嵌合する摺動部２３ｂとして形成されている。そして、減圧部２３ａの端部であってノズル２１ａと対向する位置にケレップ２３ｃが設けられており、減圧部２３ａから摺動部２３ｂにかけて軸方向に酸素の流通路２３ｄが形成されている。
【００２５】
摺動部材２３は、筒部材２１の突起２１ｂの周囲に配置されたバネ２５によってノズル２１ａから離隔する方向に付勢されると共に、ノズル２１ａに対し離隔、又は接近する方向に摺動可能に構成されている。
【００２６】
第１ガス流路１３は、圧力調整部２０を構成する摺動室２４から本体１０の太さ方向に（水平方向に）形成された水平部１３ａと、水平部１３ａに対し直交方向（垂直方向）に形成された垂直部１３ｂと、によって構成されている。そして、垂直部１３ｂに表示部４０が配置され、上端部分が流量調整部３０に接続されている。
【００２７】
流量調整部３０は本体１０の上部に配置されており、流量を調整する際に操作するハンドル３１と、複数のオリフィス３２ａと複数の穴３２ｂを有しハンドル３１の操作によって回動するオリフィスプレート３２を有して構成されている。オリフィスプレート３２の一方の面側（ハンドル３１側）の本体１０にはオリフィス３２ａと穴３２ｂにまたがる溝３３が形成されており、反対側の面（第２ガス流路１４側）の本体１０には穴３２ｂと連通する溝３４が形成されている。特に、溝３４と同じ方向の面であってオリフィス３２ａと対向する位置に、第１ガス流路１３の垂直部１３ｂの上端部分が配置されている。
【００２８】
ハンドル３１及び本体１０には図示しない指標が形成されており、ハンドル３１の回動に伴う酸素の流量が表示される。酸素の流量は、０〜毎分数十リットルの範囲に設定され、設定された流量を満足するようにオリフィス３２ａの径が設定されている。
【００２９】
オリフィスプレート３２に形成された複数のオリフィス３２ａは、第１ガス流路１３を介して供給された酸素の流量を調整するためのものであり、夫々異なる径を有して同一円周上に配置されている。また、穴３２ｂはオリフィス３２ａによって流量が調整された酸素を第２ガス流路１４に流通させるためのものであり、オリフィス３２ａが形成された円よりも小さい半径を持った円周上に形成されている。これら複数のオリフィス３２ａと穴３２ｂは予め設定された角度間隔を有する同一半径上に形成されている。しかし、患者に対する酸素の供給を停止する位置にはオリフィス３２ａは形成されていない。
【００３０】
表示部４０は本体１０に形成された第１ガス流路１３に配置されており、酸素の流通に伴って浮上する浮標４１を有している。このような浮標４１を有する表示部４０は、略鉛直方向に配置されることが必要であるため、流量調整器１を係合ピン１１ａを介してアウトレットに取り付けたとき表示部４０が略鉛直方向となるように、位置決めピン１６の位置が設定されている。
【００３１】
尚、本実施例では、表示部４０として浮標４１を有するものを利用しているが、必ずしもこの構成に限定するものではなく、酸素の流通に伴って回転する風車や吹き流しを利用しても良い。何れにしても表示部４０は流量調整器１に酸素が流れていることを視認し得るものであれば良く、構造を限定するものではない。
【００３２】
上記の如く構成された流量調整器１では、ハンドル３１を操作して酸素流量を０に調整しておき、係合ピン１１ａをアウトレットの係合穴に嵌合させると共に接続部１１を介して接続する。このとき、流量調整器１は表示部４０が略鉛直状態を保持すると共にハンドル３１が上部に供給部１２が下部に位置する。また、供給部１２に酸素マスク或いはカニューレを接続する。この状態では、圧力調整部２０を構成する摺動部材２３は、バネ２５に付勢されてケレップ２３ｃがノズル２１ａから離隔した位置にある。
【００３３】
アウトレットから酸素を供給すると、供給された酸素はノズル２１ａから減圧室２２に流入し、この過程で予め設定された圧力に減圧される。減圧された酸素は減圧室２２から摺動部材２３の内部に形成された流通路２３ｄ、第１ガス通路１３、表示部４０に流通して充満する。このため、流通路２３ｄ、第１ガス通路１３、表示部４０の内圧が上昇して摺動部材２３をノズル２１ａに接近させる方向に作用する。
【００３４】
そして、摺動部材２３に作用するバネ２５による付勢力及び減圧室２２の圧力に応じて作用する摺動部材２３をノズル２３ａから離隔させる方向の力よりも、流通路２３ｄの圧力に応じて作用する摺動部材２３をノズル２３ａに接近させる方向の力の方が大きくなったとき、摺動部材２３のケレップ２３ｃがノズル２３ａに接触して酸素の流通を停止させる。
【００３５】
その後、ハンドル３１を回動操作して所望の酸素流量を選択すると、オリフィスプレート３２が回動して選択された流量に対応した径を有するオリフィス３２ａが表示部４０の上部で第１ガス流路１３の垂直部１３ｂに対向する。このため、第１ガス流路１３にある酸素は、オリフィス３２ａ、溝３３、穴３２ｂ、溝３４を通って第２ガス流路１４を経て供給部１２に接続された酸素マスク或いはカニューレを介して患者に供給される。
【００３６】
供給部１２から患者に対して酸素が供給されると、摺動部材２３の流通路２３ｄ、第１ガス通路１３、表示部４０の内圧が低下する。このため、摺動部材２３はノズル２１ａから離隔する方向に摺動し、ケレップ２３ｃがノズル２１ａから離隔してアウトレットから供給された高い圧力を持った酸素を減圧する。
【００３７】
上記の如くして患者に対する酸素の供給が行われると、第１ガス流路１３に配置された表示部４０では、酸素が流れる際のエネルギによって浮標４１が上昇する。この浮標４１は本体１０に形成された窓１５を介して視認することが可能であり、看護師が確実に酸素が供給されているか否かを視認することが可能となる。
【産業上の利用可能性】
【００３８】
本発明に係る流量調整器は、ガスの供給源が病院の院内配管に設けたアウトレット、ガスボンベの何れに利用した場合でも、確実にガスの流通を確認することが可能である。
【符号の説明】
【００３９】
１            流量調整器
１０          本体
１１          接続部
１１ａ        係合
１２          供給部
１３          第１ガス流路
１３ａ        水平部
１３ｂ        垂直部
１４          第２ガス流路
１５          窓
１６          位置決めピン
２０          圧力調整部
２１          筒部材
２１ａ        ノズル
２１ｂ        突起部
２２          減圧室
２３          摺動部材
２３ａ        減圧部
２３ｂ        摺動部
２３ｃ        ケレップ
２３ｄ        流通路
２４          摺動室
２５          バネ
３０          流量調整部
３１          ハンドル
３２          オリフィスプレート
３２ａ        オリフィス
３２ｂ        穴
３３、３４    溝
４０          表示部
４１          浮標
【図１】
2018200247.tif 000003
【図２】
2018200247.tif 000004
【図３】
2018200247.tif 000005